(57)【要約】  本発明は、支持構造物の分野での用途を見出すものであり、特に、補強殻(2)を有するシート(3)の、可動または固定支持フレームへの安定取りつけのための取りつけアセンブリに関する。このアセンブリは、ブラケット(4)を有し、該ブラケットは、実質的に垂直の長さ方向平面(π)に関して実質的に対称であって、一対の側部ロッド(5´、5″)から成り、これらのロッドは、それぞれ前記殻(2)の前部(8)および後部(9)への連結のための、前端部(6´、6″)および後端部(7´、7″)を有する。前記後端部(7´、7″)は、それぞれオスの回転防止要素(10´、10″)を定める幅広の形状を有し、これらの回転防止要素は、前記殻(2)に強固に取りつけられたそれぞれの相補的な第一のメスの受け口(11´、11″)内に、長さ方向に滑り込ませるようになっている。【選択図】図1
2009517285.tif 000002
【特許請求の範囲】
【請求項１】
補強殻(2)を有するシート(3)すなわち自転車サドルの、可動または固定支持フレームへの安定取りつけのための取りつけアセンブリであって、
ブラケット(4)を有し、該ブラケットが実質的に垂直の長さ方向平面(π)に関して実質的に対称であり、前記ブラケット(4)が一対の側部ロッド(5´、5″)から成り、これらの
ロッドが、それぞれ前記殻(2)の前部(8)および後部(9)への連結のための、前端部(6´、6″)および後端部(7´、7″)を有する取りつけアセンブリにおいて、
前記ロッド(5´、5″)の前記後端部(7´、7″)が、それぞれオスの回転防止要素(10
´、10″)を定める幅広の形状を有し、これらの回転防止要素を、前記殻(2)に強固に取り
つけられたそれぞれの相補的な第一のメスの受け口(11´、11″)内に、長さ方向に滑り込
ませて、長さ方向軸(X)の回りの、前記ブラケット(4)と前記殻(2)との間の相対回転を防止し、支持フレームへの連結を安定化させるようになっていること、
を特徴とする取りつけアセンブリ。
【請求項２】
当該幅広の後端部(7´、7″)が、それぞれ所定の配置面(π´、π″)上にある湾曲端
部(12´、12″)から成ることを特徴とする請求項1に記載のアセンブリ。
【請求項３】
当該配置面(π´、π″)が実質的に平行で一致することを特徴とする請求項2に記載の
アセンブリ。
【請求項４】
当該配置面(π´、π″)が長さ方向の対称面(π)に関して対称に傾斜していることを
特徴とする請求項2に記載のアセンブリ。
【請求項５】
当該湾曲端部(12´、12″)の湾曲角(α)が10゜〜180゜、好ましくは90゜〜170゜で
あることを特徴とする請求項2に記載のアセンブリ。
【請求項６】
当該後端部(7´、7″)が平面図で見たとき実質的にU形を有することを特徴とする請求
項5に記載のアセンブリ。
【請求項７】
当該ロッド(5´、5″)が実質的に円形の断面を有することを特徴とする請求項1に記載
のアセンブリ。
【請求項８】
当該ロッド(5´、5″)が適当に成形され、その前端部(6´、6″)において連結されて
いることを特徴とする請求項1に記載のアセンブリ。
【請求項９】
当該ロッド(5´、5″)が、適当な固定手段による当該支持フレームへの連結のための、
実質的に互いに平行で当該長さ方向の対称面(π)に平行な、中央部(21´、21″)を有す
ることを特徴とする請求項1に記載のアセンブリ。
【請求項１０】
当該ロッド(5´、5″)の前端部(6´、6″)が一体であり、当該殻(2)に強固に取りつ
けることのできる相補的な第二のメスの受け口(17)にはめ込むことができることを特徴とする請求項1に記載のアセンブリ。
【請求項１１】
当該第一のメスの受け口(11´、11″)が、実質的に角柱形の要素(14)に成形された細長
い長さ方向空洞であり、該要素が、該要素内に滑り込むそれぞれのオスの回転防止要素(10´、10″)を収容するために、少なくとも一つの開口前端(15)を有することを特徴とする請
求項1に記載のアセンブリ。
【請求項１２】
当該実質的に角柱形の要素(14)が当該殻(2)の後端(9)に向かって先細になっていることを特徴とする請求項11に記載のアセンブリ。
【請求項１３】
当該第一のメスの受け口(11´、11″)および第二のメスの受け口(17)が当該殻(2)に強
固に取りつけられていることを特徴とする請求項1から12の中のいずれか一つに記載のアセンブリ。
【請求項１４】
当該第一のメスの受け口(11´、11″)および第二のメスの受け口(17)が当該殻(2)と一
体であることを特徴とする請求項1から12の中のいずれか一つに記載のアセンブリ。
【請求項１５】
補強殻(2)を有するシート(3)すなわち自転車サドルの、可動または固定支持フレームへの安定取りつけのための取りつけアセンブリで使用するブラケット(4)であって、
一対の側部ロッド(5´、5″)から成り、これらのロッドが、前記殻(2)の前部(8)への
連結のための前端部(6´、6″)と、前記殻(2)の後部(9)への連結のための後端部(7´、
7″)とを有するブラケット(4)において、
前記ロッド(5´、5″)の前記後端部(7´、7″)が、それぞれオスの回転防止要素(10
´、10″)を定める幅広の形状を有し、これらの回転防止要素を、前記殻(2)に強固に取り
つけられたそれぞれの相補的な第一のメスの受け口(11´、11″)内に、長さ方向に滑り込
ませて、長さ方向軸(X)の回りの、前記ブラケット(4)と前記殻(2)との間の相対回転を防止するようになっていること、
を特徴とするブラケット(4)。
【請求項１６】
可動または固定支持フレームへの取り外し自在に連結されるようになっている人体支持シート(3)であって、
-使用者の重量を弾性的に支持するようになっている弾力性上部層(22)、
-前記上部層(22)の下側に連結される補強殻(2)、
-適当な固定手段によって可動または固定支持フレームに連結される下部ブラケット(4)、
から成り、
-前記ブラケット(4)が一対の側部ロッド(5´、5″)から成り、これらのロッドが、前
記殻(2)の前部(8)への連結のための前端部(6´、6″)と、前記殻(2)の後部(9)への連
結のための後端部(7´、7″)とを有する人体支持シート(3)において、
前記ロッド(5´、5″)の前記後端部(7´、7″)が、それぞれオスの回転防止要素(10
´、10″)を定める幅広の形状を有し、これらの回転防止要素を、前記殻(2)に強固に取り
つけられたそれぞれの相補的な第一のメスの受け口(11´、11″)内に、長さ方向に滑り込
ませて、長さ方向軸(X)の回りの、前記ブラケット(4)と前記殻(2)との間の相対回転を防止するようになっていること、
を特徴とする人体支持シート(3)。
【発明の詳細な説明】
【技術分野】
【０００１】
本発明は、支持構造物の分野での用途を見出すものであり、特に、シートの可動または固定支持フレームへの安定取りつけのための取りつけアセンブリに関する。
【０００２】
本発明は、さらに、前記アセンブリを構成するブラケットおよび前記アセンブリを有するシートに関する。
【背景技術】
【０００３】
人体着座支持構造物、たとえば自転車、椅子、または乗り物シートに取りつけられるサドルの、フレームへの連結は、できるだけ安定でなければならず、シートと該シートの支持フレームへの取りつけ手段との間の相対運動を防止しなければならない。この回転は使用者の快適感に影響するからである。
【０００４】
もっとも普通の使用解決策においては、前記連結に、シートそのものと自転車フレームとの間に配置される特殊な支持フレームまたはブラケットを使用する。
【０００５】
たとえば、自転車サドルの場合、着座要素は一般に、硬質低部殻に連結された、詰め物を有する上部本体から成る。
【０００６】
前記殻は、支持ブラケットとの連結のための所定数の受け口を有する。このブラケットは、通常レールと呼ばれ、シートポストに連結された各種固定手段と連係するか、または自転車フレームと直接連係するようになっている。
【０００７】
前記ブラケットは、通常、金属、またはたとえば適当な機械的強度を有する複合材料から選択されるその他の材料で作られた一対の円柱形ロッドから成り、これらのロッドはサドル殻の下に平行配置されている。
【０００８】
これらのレールは、各ロッドの端をそれぞれの受け口にはめ込むことによってサドルに連結される。受け口の形状は、それぞれのロッド端の形状と実質的に相補的になっていて、正確で安定なはめ込み(male/female fit)ができるようになっている。
【０００９】
通常の解決策の場合、レールロッドは実質的に円柱形であり、これとそれぞれの殻受け口との連結は、受け口の外表面の保持力によってのみ確保される。
【００１０】
サドルフレームロッドがその受け口内でねじり運動により回転しうるので、これは十分安定な連結を与えるものではなく、したがって受け口が損傷を受け、サドルとブラケットとの分離が生じうる。
【００１１】
前記欠点を排除するために、いくつかの解決策が考えられており、支持フレームとのより安定な連結を与える、サドルまたは人体着座構造物のためのブラケットが提供されている。
【００１２】
US2004/0145222号明細書には、支持と自転車フレームへの連結とのためのサドルフレームを有する自転車サドルが開示されている。このサドルフレームのロッドは、開環状に曲げられたそれぞれの後端と、やはり曲げられた共通の前端とを有する。
【００１３】
このサドルフレームは、取りはずしできるカバーを有する受け口にはめ込むことによりサドル殻に取りつけられる。このカバーはねじによって殻に取りつけられており、下端は下部衝撃吸収要素のまわりにスナップ係合されている。
【００１４】
したがって、この解決策は、ブラケットと殻との間にいくつかの異なる中間要素を配置することによる、ブラケットと殻との間の連結を与える。しかし、これらの中間要素による連結は非常に面倒であり、また、これらの要素とブラケットとの間に生じる避けがたい隙間のために、妥当な着座安定性が確保されない。
【発明の開示】
【発明が解決しようとする課題】
【００１５】
本発明の目的は、高効率で割合に経済的な、シートの安定な取りつけのための取りつけアセンブリを提供することにより、前記欠点を克服することである。
【００１６】
一つの特定目的は、シート全体と支持フレームとの連結を安定させるために、フレーム連結ブラケットとシート支持殻との間の相対回転を防止する取りつけアセンブリを提供することである。
【００１７】
もう一つの目的は、ブラケットとシートとの間の簡単かつ迅速な連結ができる取りつけアセンブリを提供することである。
【００１８】
本発明のもう一つの目的は、シートすなわち自転車サドルとともに使用するためのブラケットを提供することである。このブラケットは、シート殻の長さ方向軸のまわりの回転を防ぎ、高度に安定かつ快適な連結を与えるものである。
【００１９】
本発明のもう一つの重要な目的は、美的に質の高いシートを提供することである。
【課題を解決するための手段】
【００２０】
以下でよりよく説明する前記目的およびその他の目的は、
請求項1で定義する、補強殻を有するシートすなわち自転車サドルの、可動または固定支持フレームへの安定取りつけのための取りつけアセンブリであって、
ブラケットを有し、該ブラケットが実質的に垂直の長さ方向平面に関して実質的に対称であり、前記ブラケットが一対の側部ロッドから成り、これらのロッドが、それぞれ前記殻の前部および後部への連結のための、前端部および後端部を有する取りつけアセンブリ、によって、達成される。
【００２１】
本発明は、
前記ロッドの前記後端部が、オスの回転防止要素を定める幅広の形状を有し、これらの回転防止要素を、前記殻に強固に取りつけられたそれぞれの相補的な第一のメスの受け口内に、長さ方向に滑り込ませるようになっていること、
を特徴とする。
【００２２】
この特別な構成により、本発明は、長さ方向軸の回りの、前記ブラケットと前記殻との間の相対回転を防止し、これらの支持フレームへの連結を安定化させることのできる取りつけアセンブリを提供する。
【００２３】
また、前記幅広の後端部は、所定の配置面(development plane)上にあるそれぞれの湾曲端部から成ることができる。
【００２４】
好ましくは、前記第一のメスの受け口は、滑り込むそれぞれのオスの回転防止要素を受ける少なくとも一つの開放前端を有する実質的に角柱の要素の細長い長さ方向の空洞とすることができる。
【００２５】
この特別な構成により、ブラケットのオスの要素は、非常に簡単かつ迅速なやり方で、殻に取りつけられたそれぞれのメスの受け口に連結することができる。
【００２６】
本発明は、もう一つの側面において、
請求項15に定義するような、取りつけアセンブリで使用するブラケットであって、
一対の側部ロッドから成り、これらのロッドが、それぞれシート支持殻の前部および後部への連結のための前端部および後端部を有するブラケットにおいて、
前記ロッドの前記後端部が、オスの回転防止要素を定める幅広の形状を有し、この回転防止要素を、前記殻に強固に取りつけられたそれぞれの相補的な第一のメスの受け口内に、長さ方向に滑り込ませるようになっているブラケット、
を提供する。
【００２７】
本発明のこのさらなる特徴により、長さ方向軸のまわりのブラケットと殻との間の相対回転が防止され、安定かつ快適な連結が実現できる。
【００２８】
第三の側面において、本発明は、
請求項16に定義するような、人体支持シートであって、
-使用者の重量を弾性的に支持するようになっている弾力性上部層、
-前記上部層の下側に連結される補強殻、
-支持フレームに連結される下部ブラケット、
から成り、
-前記ブラケットが一対の側部ロッドから成り、これらのロッドが、前記殻の前部に連結するための前端部と、前記殻の後部への連結のための後端部とを有する人体支持シート(3)、
を提供する。
【００２９】
このシートは、
前記ロッドの前記後端部が、オスの回転防止要素を定める幅広の形状を有し、これらの回転防止要素を、前記殻に強固に取りつけられたそれぞれの相補的な第一のメスの受け口内に、長さ方向に滑り込ませて、長さ方向軸の回りの、前記ブラケットと前記殻との間の相対回転を防止するようになっていること、
を特徴とする。
【００３０】
本発明のこのさらなる特徴により、美的な質の高さをも有する、高度に安定かつ快適なシートが提供される。
【発明を実施するための最良の形態】
【００３１】
本発明のさらなる特徴と利点とは、非限定例として、添付の図面に即して説明する、本発明の迅速取りつけアセンブリ、ブラケット、およびシートの好ましい非排他的実施形態に関する詳細な説明からさらにはっきりするであろう。
【００３２】
図面において、全体を番号1で示す、本発明のアセンブリは、自転車サドル、椅子、乗り物シート、および任意の人体支持シートで使用して、これの支持フレームへの安定取りつけを容易にし、シート安定性と快適性とを高めることができる。
【００３３】
図1に示すように、取りつけアセンブリ1は、図示しない可動または固定フレームへの取りつけのために自転車サドル3に取りつけられる補強殻2に連結される。
【００３４】
このアセンブリは、ブラケット4を有し、該ブラケットは、実質的に垂直な中間の長さ方向の平面πに関して実質的に対称であり、殻2の前部8および後部9への連結のための、前端部6´、6″および後端部7´、7″を有する一対の側部ロッド5´、5″から成る。
【００３５】
ブラケット4は、シート3の通常の使用によってもたらされる応力に耐えうるように、任意の金属もしくは合金または適当な機械的強度の複合材料のグループから選択される他の材料で作ることができる。
【００３６】
殻2は、プラスチック材料、複合材料、金属材料、その他から選択される材料で作られ、使用者の重量を支えるのに十分な剛性と機械的強度とを有するものとする。
【００３７】
本発明のアセンブリ1の独特の特徴は、ロッド5´、5″の後端部7´、7″が幅広の形
状を有して、各後端部がオスの回転防止要素10´、10″を定め、これらの回転防止要素は、
殻2に強固に取りつけられたそれぞれの相補的な第一のメスの受け口11´、11″内に長さ方
向に滑り込んで、長さ方向の軸Xのまわりのブラケット4と殻2との間の相対回転を防止し、支持フレームへの連結を安定化させるようになっている。
【００３８】
好ましくは、幅広の後端部7´、7″は、所定の配置面π´、π″上にあるそれぞれの湾
曲端部12´、12″から成る。
【００３９】
ここに示す実施形態の場合、配置面π´、π″は、長さ方向の対称面πに関して対称に傾
斜するようにすることができる。
【００４０】
ここには示さない代替実施形態の場合、後端部7´、7″の配置面π´、π″は実施的に
平行で一致するようにすることができる。
【００４１】
端部12´、12″の湾曲角αを10゜〜180゜とするのが便利である。この角αの好ましい値
は90゜〜170゜である。
【００４２】
したがって、端部12´、12″は、特に図４〜６に示すように、上から見たとき、実質的に
U形を有するようにすることができる。
【００４３】
ブラケット4の端部12´、12″のこの特別な構成により、これらの端部をそれぞれの第一
のメスの受け口11´、11″に連結したとき、殻2との間で、回転の中心の異なる少なくとも
二つの接点が生じ、それによって、アセンブリ1が取りつけられるシート3に対するアセンブリ1の回転の自由度が減少する。
【００４４】
図3に明確に示すように、第一のメスの受け口11´、11″は、実質的に角柱形の要素14に
形成されている細長い長さ方向の空洞であり、前記要素は、一つの開放前端15を有し、前記空洞に滑り込むそれぞれのオスの回転防止要素10´、10″を受容するようになっている。
【００４５】
ここに示す実施形態の場合、角柱形要素14は、後端16に向かって先細になっており、殻2に強固に一体になるように取りつけられている。
【００４６】
角柱形要素14は、殻2と同じ材料、または必要な機械的強度特性を与えうる任意の他の材料で作ることができる。
【００４７】
図には示さない代替構成の場合、受け口11´、11″は、適当な外部連結手段たとえばスナ
ップばめ手段、ナットとねじのアセンブリ、その他によって、殻2に取りつけることができる。
【００４８】
図4〜6は、迅速取りつけアセンブリ1を作るための、本発明のブラケット4の特定実施形態を示し、このブラケットのロッド5´、5″は、実質的に一定の円形断面を有する。
【００４９】
ロッド5´、5″は、適当に成形され、前端部6´、6″が連結されている。
【００５０】
特に、前記前端部は、一体に作り、単一の相補的な第二のメスの受け口17に挿入することができるようにすることができる。受け口17は、殻2の前部8に取りつけられている。
【００５１】
図7に示すように、第二のメスの受け口17は、可動要素18によって覆うことができる。この可動要素は、図示しない適当な固定手段によって、殻2の前部8に連結することができる。
【００５２】
これらの手段は、たとえば、殻2に成形されたそれぞれの連結空洞19に、該空洞19と整列するように可動要素18に成形された一つ以上の貫通孔20を通して取りつけられるねじまたはピンとすることができる。
【００５３】
これにより、空力特性が高められ、シート3全体の見た目が良くなる。
【００５４】
ロッド5´、5″は、さらに中央部21´、21″を有し、これらの中央部は、互いに実質的
に平行で、また対称面πに平行であり、支持フレームへの連結のために、図示しない適当な固定手段を取りつけることができる。
【００５５】
図7には、本発明の人体支持シート3も示してあり、これは、可動または固定支持フレームへの取り外し自在の連結のためのものであり、すなわち自転車フレームに取りつけられるサドルである。
【００５６】
シート3は、弾力上部層22を有し、この層は、シート3が取りつけられる下の補強殻2とともに、使用者の重量を弾性的に支持するためのものである。
【００５７】
上部層22は、ポリウレタンゲル、フォーム、その他から選択される材料で作られたもう一つの弾力層を収容する上部カバーをも有することができる。
【００５８】
前述のように、ブラケット4は、層22の下に配置され、適当な外部固定手段によって、支持フレームに連結される。
【００５９】
前記説明からはっきりわかるように、本発明のアセンブリ1は、意図する目的、特にシート3の支持フレームへの連結を行うという目的、を達成するものであり、この連結は、高度な安定性を特徴とし、ブラケット4とシート3の殻2との間の相対回転を防止するものである。
【００６０】
ブラケット4と連結受け口11´、11″との独特の構成により、アセンブリ1は、該アセン
ブリが使用されるシート3全体に高い美的な品質を与える。
【００６１】
本発明の迅速取りつけアセンブリ、ブラケット、およびシートは、特許請求の範囲に開示する発明的概念の範囲内で、いくつかの変形と変更を加えることができる。これらのものの細部はすべて技術的に同等の他の部品で置き換えることができ、材料は、本発明の範囲を逸脱することなく、それぞれの必要に応じて変えることができる。
【００６２】
以上、アセンブリ、ブラケット、およびシートを、添付の図面に即して説明したが、説明と請求項で使用した引用番号は本発明をわかりやすくするためだけのものであり、いかなる意味でも特許請求の範囲の限定を意図するものではない。
【００６３】
本出願は、イタリア特許出願第VI2005A000322号(2005年12月2日提出)にもとづき、その優先権を主張するものである。同出願明細書を参照されたい。
【図面の簡単な説明】
【００６４】
【図１】本発明の迅速取りつけアセンブリの特定実施形態の斜視図である。
【図２】図1のアセンブリの正面図である。
【図３】図1の細部の拡大図である。
【図４】本発明のブラケットの上面図である。
【図５】図4のブラケットの横方向からの斜視図である。
【図６】図4のブラケットの背面図である。
【図７】本発明のシートの下方からの一部分解斜視図である。
【符号の説明】
【００６５】
1  本発明のアセンブリ
2  補強殻
3  自転車サドル
4  ブラケット
5´  側部ロッド
5″  側部ロッド
6´  前端部
6″  前端部
7´  後端部
7″  後端部
8  前部
9  後部
10´  回転防止要素
10″  回転防止要素
11´  第一のメスの受け口
11″  第一のメスの受け口
12  長さ方向の軸
12´、12″  湾曲端部
14  角柱形の要素
15  開放前端
16  後端
17  第二のメスの受け口
18  可動要素
19  連結空洞
20  貫通孔
21´  中央部
21″  中央部
22  弾力性上部層
X  長さ方向の軸
α  湾曲角
π  対称面
π´  配置面
π″  配置面
【図１】
2009517285.tif 000003
【図２】
2009517285.tif 000004
【図３】
2009517285.tif 000005
【図４】
2009517285.tif 000006
【図５】
2009517285.tif 000007
【図６】
2009517285.tif 000008
【図７】
2009517285.tif 000009
【国際調査報告】
2009517285.tif 000010
2009517285.tif 000011